(57)【要約】【課題】各居室に外気を送り込む給気ファンを住戸内廊下に設置せず、容易にメンテナンスできるところに設置して、装置の維持、管理が容易に行うことができる換気装置および換気システムを提供することを目的としている。【解決手段】住戸内に形成された台所内の排気を排気口５６から住戸外に送り出す第１の排気ファン３３と、第１の排気ファン３３の廻りを囲うカバー部２９とを備える換気装置において、カバー部２９内には、住戸外に連通される第１のダクト接続部４１と、住戸内のうち台所以外の居室内に連通される第２のダクト接続部４２と、住戸外の外気を第１のダクト接続部４１から取り入れるとともに第２のダクト接続部４２から居室内に送り出す第１の給気ファン４３とが第１の排気ファン３３と離隔された状態でそれぞれ設けられている。【選択図】      図２
2004308996.tif 000002
【特許請求の範囲】
【請求項１】
住戸内に形成された台所内の排気を排気口から前記住戸外に送り出す第１の排気ファンと、該第１の排気ファンの廻りを囲うカバー部とを備える換気装置において、
前記カバー部内には、前記住戸外に連通される第１のダクト接続部と、前記住戸内のうち前記台所以外の居室内に連通される第２のダクト接続部と、前記住戸外の外気を前記第１のダクト接続部から取り入れるとともに前記第２のダクト接続部から前記居室内に送り出す第１の給気ファンとが前記第１の排気ファンと離隔された状態でそれぞれ設けられていることを特徴とする換気装置。
【請求項２】
請求項１記載の換気装置において、
前記カバー部には、該カバー部内のメンテナンスを行う点検口が形成されていることを特徴とする換気装置。
【請求項３】
請求項１または２記載の換気装置において、
前記外気が流通する前記カバー部内には、通過する前記外気を洗浄するフィルタが取替可能に介装されていることを特徴とする換気装置。
【請求項４】
請求項１から３のうちのいずれかに記載の換気装置において、
前記外気の流路となる前記カバー部内には、前記外気中にイオンを発生させるイオン発生装置が設置されていることを特徴とする換気装置。
【請求項５】
請求項１から４のいずれかに記載された換気装置を介して前記排気が前記住戸外に排出され、前記換気装置を介して前記外気が前記居室内に供給される換気システムであって、
前記住戸の外壁には前記外気を取り入れる第１の外気取入口が設けられるとともに前記居室内には前記外気を吐出する第１の外気吐出口が設けられ、前記第１のダクト接続部と前記第１の外気取入口とは前記外気を流通させる第１の給気ダクトによって接続され、前記第２のダクト接続部と前記第１の外気吐出口とは前記外気を流通させる第２の給気ダクトによって接続されていることを特徴とする換気システム。
【請求項６】
請求項５記載の換気システムにおいて、
前記住戸の外壁には前記外気を取り入れる第２の外気取入口が設けられているとともに前記台所内には前記外気を吐出する第２の外気吐出口が設けられ、前記第２の外気取入口と前記第２の外気吐出口とは前記外気を流通させる第３の給気ダクトによって接続され、該第３の給気ダクトには前記外気を前記第２の外気取入口から前記第２の外気吐出口に送り出す第２の給気ファンが介装されていることを特徴とする換気システム。
【請求項７】
請求項５記載の換気システムにおいて、
前記第１の給気ダクトの中間部または前記第２の給気ダクトの中間部にはダクト分岐部が設けられ、前記台所内には前記外気を吐出する第３の外気吐出口が設けられ、前記ダクト分岐部と前記第３の外気吐出口は前記外気を流通させる第４の給気ダクトによって接続され、該第４の給気ダクトには前記外気の流量を調節するダンパが介装されていることを特徴とする換気システム。
【請求項８】
請求項５から７のいずれかに記載の換気システムにおいて、
前記住戸の外壁には前記住戸内のサニタリー内の排気を吐出する排気吐出口が設けられているとともに前記サニタリー内には前記排気を取り入れる排気取入口が設けられ、前記排気吐出口と前記排気取入口とは前記排気を流通させる排気ダクトによって接続され、該排気ダクトには前記排気を前記排気取入口から前記排気吐出口に送り出す第２の排気ファンが介装されていることを特徴とする換気システム。
【発明の詳細な説明】
【０００１】
【発明の属する技術分野】
本発明は、集合住宅等における複数の居室内の換気を常時行うための換気装置および換気システムに関する。
【０００２】
【従来の技術】
従来、集合住宅等の常時換気システムとしては、外気を取り入れてこれを各居室に分配するための独立した給気ファンユニットを用いる方式がある。給気ファンユニットには外気を送り出す給気ファンと外気を洗浄するフィルタとが内蔵されており、給気ファンユニットは住戸内廊下の天井裏に配置される。この給気ファンユニットには、屋外から外気を取り入れるためのダクトと、取り入れた外気を各居室に送り込むためのダクトとがそれぞれ接続されており、給気ファンを常時運転させることで小風量の外気がダクトを通って各居室内に常時供給される。また、このような場合、トイレ、バス、洗面所等のサニタリーには別個に排気ファンがそれぞれ設置され、サニタリー内の空気は屋外に排出される。居室内に流入した外気は、居室内から住戸内廊下を通過してサニタリーに至り、サニタリーに設けられた排気ファンによって屋外に出る。これによって、各居室から住戸内廊下を経由してサニタリーへという空気の流れが造り出され、住戸内全体を満遍無く換気することができる（例えば、特許文献１参照。）。
【０００３】
また、住戸内の常時換気システムとしては、各居室にそれぞれ給気ファンユニットを設置する方式のものがある。給気ファンユニットは住戸の外壁にそれぞれ設けられ、各居室には外気が給気ファンユニットからそれぞれ直接取り入れられる。各居室に取り込まれた外気は、各居室から住戸内廊下の天井裏、台所の流し台上、或いはサニタリーのうちの少なくとも一つに設けられた排気ファンから屋外に排出される。これによって、住戸内における空気の流れが造り出され、住戸内全体を満遍無く換気することができる（例えば、特許文献２参照。）。
【０００４】
【特許文献１】
特開２０００−２４９３８０号公報  （第３−４頁、第１図）
【特許文献２】
特開２００３−２１３７５号公報  （第３−５頁、第２−４図）
【０００５】
【発明が解決しようとする課題】
しかしながら、上記した従来の換気システムでは、以下のような問題が存在する。まず、前者の換気システムでは、住戸内廊下の幅は法規上の最低寸法で設計されている場合が多い。これにより、当然給気ファンユニットの設置スペースも狭いものとなるため、住戸内廊下の天井裏に設置された給気ファンユニットのメンテナンススペースが十分に確保するのが困難である。また、給気ファンユニットに内蔵されたフィルタは定期的に洗浄または交換する必要があり、このようなフィルタの交換などはエンドユーザーが行うのが一般的である。フィルタを取り外す場合には住戸内廊下の天井に設けられた点検口を開けて作業することになるため、このような作業に不慣れなエンドユーザーにとってフィルタを交換するのは困難な作業となる。
【０００６】
また、後者の換気システムでは、各居室に給気ファンユニットをそれぞれ設置する必要があるため、設備費用が嵩むとともに定期的に行う必要があるフィルタの交換作業が多くなり、居室を利用するエンドユーザーの負担が大きい。
【０００７】
本発明に係る換気装置および換気システムは、上記した従来の問題が考慮されたものであり、各居室に外気を送り込む給気ファンをもうけるとともに、この給気ファンを住戸内廊下に設置せず、容易にメンテナンスできるところに設置して、装置の維持、管理が容易に行うことができる換気装置および換気システムを提供することを目的としている。
【０００８】
【課題を解決するための手段】
請求項１記載の発明は、住戸内に形成された台所内の排気を前記住戸外に送り出す第１の排気ファンと、該第１の排気ファンの廻りを囲うカバー部とを備える換気装置において、前記カバー部内には、前記住戸外に連通される第１のダクト接続部と、前記住戸内のうち前記台所以外の居室内に連通される第２のダクト接続部と、前記住戸外の外気を前記第１のダクト接続部から取り入れるとともに前記第２のダクト接続部から前記居室内に送り出す第１の給気ファンとが前記第１の排気ファンと離隔された状態でそれぞれ設けられていることを特徴としている。
【０００９】
このような特徴により、台所から発生する排気を住居外に排出する換気装置によって、住戸外の外気は常時居室内に送り込まれる。また、この換気装置は台所に設置されるため、換気装置の廻りにはメンテナンスする際に必要な作業スペースが十分確保され、メンテナンスし易い位置に換気装置は位置する。
【００１０】
請求項２記載の発明は、請求項１記載の換気装置において、前記カバー部には、該カバー部内のメンテナンスを行う点検口が形成されていることを特徴としている。
【００１１】
このような特徴により、カバー部を取り外すことなくカバー部内に配置された装置のメンテナンスが行われる。
【００１２】
請求項３記載の発明は、請求項１または２記載の換気装置において、前記外気が流通する前記カバー部内には、通過する前記外気を洗浄するフィルタが取替可能に介装されていることを特徴としている。
【００１３】
このような特徴により、フィルタを通過する外気中の塵などはフィルタに付着して、塵などが取り除かれた外気のみが居室内に送り込まれる。また、多量の塵などが付着したフィルタは取り外され、塵などが洗い流されたフィルタ、或いは新たなフィルタが取り付けられる。
【００１４】
請求項４記載の発明は、請求項１から３のうちのいずれかに記載の換気装置において、前記外気の流路となる前記カバー部内には、前記外気中にイオンを発生させるイオン発生装置が設置されていることを特徴としている。
【００１５】
このような特徴により、イオン発生装置を通過する外気は除菌および脱臭されるとともに、発生したイオンは居室内に搬送されて居室内は除菌および脱臭される。
【００１６】
請求項５記載の発明は、請求項１から４のいずれかに記載された換気装置を介して前記排気が前記住戸外に排出され、前記換気装置を介して前記外気が前記居室内に供給される換気システムであって、前記住戸の外壁には前記外気を取り入れる第１の外気取入口が設けられるとともに前記居室内には前記外気を吐出する第１の外気吐出口が設けられ、前記第１のダクト接続部と前記第１の外気取入口とは前記外気を流通させる第１の給気ダクトによって接続され、前記第２のダクト接続部と前記第１の外気吐出口とは前記外気を流通させる第２の給気ダクトによって接続されていることを特徴としている。
【００１７】
このような特徴により、居室内の常時換気は、台所内に配置された第１の排気ファンを備える換気装置を通して行われる。つまり、住戸外の外気は、台所内の排気を住戸外に排出する換気装置を介して居室内に送り込まれる。
【００１８】
請求項６記載の発明は、請求項５記載の換気システムにおいて、前記住戸の外壁には前記外気を取り入れる第２の外気取入口が設けられているとともに前記台所内には前記外気を吐出する第２の外気吐出口が設けられ、前記第２の外気取入口と前記第２の外気吐出口とは前記外気を流通させる第３の給気ダクトによって接続され、該第３の給気ダクトには前記外気を前記第２の外気取入口から前記第２の外気吐出口に送り出す第２の給気ファンが介装されていることを特徴としている。
【００１９】
このような特徴により、台所内には第２の給気ファンを介して住戸外の外気が送り込まれる。
【００２０】
請求項７記載の発明は、請求項５記載の換気システムにおいて、前記第１の給気ダクトの中間部または前記第２の給気ダクトの中間部にはダクト分岐部が設けられ、前記台所内には前記外気を吐出する第３の外気吐出口が設けられ、前記ダクト分岐部と前記第３の外気吐出口は前記外気を流通させる第４の給気ダクトによって接続され、該第４の給気ダクトには前記外気の流量を調節するダンパが介装されていることを特徴としている。
【００２１】
このような特徴により、住戸外の外気を居室内に送る第１の給気ダクトを利用して、台所内に外気が送り込まれる。
【００２２】
請求項８記載の発明は、請求項５から７のいずれかに記載の換気システムにおいて、前記住戸の外壁には前記住戸内のサニタリー内の排気を吐出する排気吐出口が設けられているとともに前記サニタリー内には前記排気を取り入れる排気取入口が設けられ、前記排気吐出口と前記排気取入口とは前記排気を流通させる排気ダクトによって接続され、該排気ダクトには前記排気を前記排気取入口から前記排気吐出口に送り出す第２の排気ファンが介装されていることを特徴としている。
【００２３】
このような特徴により、サニタリー内の排気は第２の排気ファンを介して住戸外に排出される。
【００２４】
【発明の実施の形態】
以下、本発明に係る換気装置および換気システムの第１、第２の実施の形態について、図面に基づいて説明する。
【００２５】
［第１の実施の形態］
まず、第１の実施の形態について説明する。図１は第１の実施の形態を表す斜視図であり、図１に示す符号１は集合住宅内に形成された一つの住戸である。図１に示すように、住戸１内には、住戸１の長辺方向に延在する屋内廊下２と、住戸１内中央部に位置するトイレ３、洗面所４および風呂場５からなるサニタリー６と、住戸１内中央部に位置する台所７と、バルコニー８側および屋外廊下９側の住戸１外に面するように配置された第１、第２、第３、第４の居室１０、１１、１２、１３とがそれぞれ形成されている。なお、ここでいう居室とは住戸１内に形成された居室のうち台所７以外の居室をいい、台所７の周辺に形成された居室を意味する。
【００２６】
屋外廊下９に面している第３の居室１２の外壁１４には、外気Ａが流入する第１の外気取入口１６が設けられている。また、バルコニー８に面している第２の居室１１の屋外に面する一方の袖壁１５ａにはサニタリー排気Ｂが流出する第１の排気吐出口１７および台所排気Ｃが流出する第２の排気吐出口１８が左右２箇所に設けられ、他方の袖壁１５ｂには外気Ａが流入する第２の外気取入口１９が設けられている。
【００２７】
また、第１、第２、第３、第４の居室１０、１１、１２、１３の天井には外気Ａが流出する第１の外気吐出口２０がそれぞれ設けられ、台所７の天井には外気Ａが流出する第２の外気吐出口２１が設けられている。さらに、トイレ３、洗面所４および風呂場５からなるサニタリー６の天井には、サニタリー排気Ｂが流入する第１の排気取入口２２がそれぞれ設けられている。第１の外気取入口１６、第２の外気取入口１９、第１の排気吐出口１７および第２の排気吐出口１８はそれぞれベントキャップからなっており、第１の外気吐出口２０、第２の外気吐出口２１および第１の排気取入口２２は屋内給気グリルからなっている。
【００２８】
台所７にはキッチン台２３が設置されており、キッチン台２３の上方には換気装置２４が設けられている。外壁１４に設けられた第１の外気取入口１６と換気装置２４とは、第３の居室１２の天井裏から第３の居室１２のクロゼットの天井裏を経由して台所７の天井裏に配管された第１の給気ダクト２５によって接続されている。また、換気装置２４と第１、第２、第３、第４の居室１０、１１、１２、１３内にそれぞれ設けられた第１の外気吐出口２０とは、台所７の天井裏から屋内廊下２の天井裏を経由して第１、第２、第３、第４の居室１０、１１、１２、１３の天井裏に配管された第２の給気ダクト２６によってそれぞれ接続されている。第１の給気ダクト２５内および第２の給気ダクト２６内には外気Ａが流通されており、第１の給気ダクト２５と第２の給気ダクト２６とは換気装置２４を介して接続されている。また、第２の給気ダクト２６の枝管は屋内廊下２の天井裏に配管された本管から第１、第２、第３、第４の居室１０、１１、１２、１３に向かってそれぞれ分岐されている。
【００２９】
また、換気装置２４の下面には台所排気Ｃが流入する第２の排気取入口２７が形成されており、第２の排気取入口２７と袖壁１５ａに設けられ第２の排気吐出口１８とは第１の居室１０の天井裏に配管された第１の排気ダクト２８によって接続されている。第１の排気ダクト２８内には、キッチン台２３から発生する台所排気Ｃが流通される。
【００３０】
図２（ａ）は換気装置２４の正面図であり、図２（ｂ）は換気装置２４の側面図であり、図２（ｃ）は換気装置２４の上視図である。図２（ａ）、図２（ｂ）、図２（ｃ）に示す符号２９は台所７の壁に取り付けられ換気装置２４の外殻を形成するカバー部である。図２（ａ）、図２（ｂ）、図２（ｃ）に示すように、カバー部２９は、換気装置２４の外殻のうち上面および両側面を形成するコ字形のケーシング３０と、正面を形成する幕板３１とから構成されている。カバー部２９の下面には台所排気Ｃが流入する第２の排気取入口２７が形成されており、カバー部２９の下方にはキッチン台２３から発生する台所排気Ｃを集めるレンジフード３２が形成されている。
【００３１】
レンジフード３２の中間部には台所排気Ｃ中に含まれる塵や油成分等を取り除くグリスフィルタ３５が取り外し可能に装着されている。グリスフィルタ３５を介して台所７内と連通されたカバー部２９内には、一方（第２の排気取入口２７）から台所排気Ｃを吸い込み他方（側面）から台所排気Ｃを送り出す第１の排気ファン３３が設けられている。第１の排気ファン３３の側面には上方に向かって屈曲された連結ダクト３４が設けられており、連結ダクト３４の上端部にはケーシング３０上面を貫通する排気ダクト接続部５６が形成されている。この排気ダクト接続部５６は、第１の居室１０の天井裏に配管された第１の排気ダクト２８の端部に接続されている。連結ダクト３４は第１の排気ファン３３を介して第２の排気取入口２７に連通されており、レンジフード３２内の台所排気Ｃは第１の排気ファン３３の送風作用によって連結ダクト３４内に送り出される。
【００３２】
第１の排気ファン３３の上方には、カバー部２９内を上下に離隔する仕切り板３６が設けられている。仕切り板３６の上には矩形のボックス３７が載置されおり、ボックス３７内には住戸１外の外気Ａを居室内に流入させる給気ユニット３８が載置されている。また、給気ユニット３８に対向する幕板３１には、給気ユニット３８をメンテナンスするための横長形の第１の点検口３９が備えられており、第１の点検口３９はビス止めされた蓋４０で塞がれている。
【００３３】
図３（ａ）は給気ユニット３８の上視図であり、図３（ｂ）は給気ユニット３８の正面図である。図３（ａ）、図３（ｂ）に示すように、給気ユニット３８は、第１の給気ダクト２５の端部に接続されている第１のダクト接続部４１と、第２の給気ダクト２６の端部に接続されている第２のダクト接続部４２と、第１の給気ダクト２５内の外気Ａを第１のダクト接続部４１から取り入れるとともに第２のダクト接続部４２から第２の給気ダクト２６に送り出す第１の給気ファン４３と、外気Ａに含まれる塵等を除去して洗浄するエアフィルタ４４と、外気Ａ中にイオンを発生させるイオン発生装置５４とから構成されている。
【００３４】
エアフィルタ４４はボックス３７中央部でボックス３７奥行き方向に延在するように設けられており、ボックス３７奥行き方向に延在するエアフィルタ４４によってボックス３７内は図３（ａ）、図３（ｂ）における左右方向に分割されている。また、エアフィルタ４４はボックス３７奥行き方向に取り外し可能に設けられており、エアフィルタ４４はボックス３７正面から手前に引っ張ることで取り外される。
【００３５】
エアフィルタ４４によって区分けされたボックス３７内の一方（図３（ａ）、図３（ｂ）における右側）には第１の給気ファン４３が配置されており、第１の給気ファン４３の上方のボックス３７上面には円形の開口部４５ａが形成されている。この開口部４５ａには第１のダクト接続部４１が挿通されており、第１のダクト接続部４１の上端部は図２（ａ）に示すカバー部２９上面に凸設されている。開口部４５ａと第１のダクト接続部４１との間は、リング状のパッキン材４６ａが介装されており、ボックス３７内の気密性は保たれている。第１のダクト接続部４１の上端部には図２（ａ）に示す第１の給気ダクト２５の端部が接続されており、第１の給気ダクト２５内とボックス３７内とは連通される。
【００３６】
また、エアフィルタ４４によって区分けされたボックス３７内の他方（図３（ａ）、図３（ｂ）における左側）には、ボックス３７奥行き方向に延在する長棒状のイオン発生部５５を備えるイオン発生装置５４が配置されている。イオン発生部５５はボックス３７内正面側に配置されており、イオン発生部５５の上方のボックス３７上面には円形の開口部４５ｂが形成されている。この開口部４５ｂには第２のダクト接続部４２が挿通されており、第２のダクト接続部４２の上端部は図２（ａ）に示すカバー部２９上面に凸設されている。開口部４５ｂと第２のダクト接続部４２との間は、リング状のパッキン材４６ｂが介装されており、ボックス３７内の気密性は保たれている。第２のダクト接続部４２の上端部には図２（ａ）に示す第２の給気ダクト２６の端部が接続されており、ボックス３７内と第２の給気ダクト２６内とは連通される。
【００３７】
また、第１の点検口３９に対向するボックス３７の正面には、エアフィルタ４４を出し入れするための第２の点検口４７と、イオン発生装置５４のイオン発生部５５を掃除するための第３の点検口４８が形成されている。第２の点検口４７および第３の点検口４８は、ビス止めされた蓋４９ａ、４９ｂでそれぞれ塞がれている。
【００３８】
一方、図１に示すように、袖壁１５ｂに設けられた第２の外気取入口１９と台所７天井に設けられた第２の外気吐出口２１とは、第１の居室１０の天井裏から第２の居室１１の天井裏に配管された第３の給気ダクト５０によって接続されている。第３の給気ダクト５０内には外気Ａが流通され、第３の給気ダクト５０には第２の外気取入口１９から第２の外気吐出口２１へ外気Ａを送る第２の給気ファン５１が介装されている。また、サニタリー６内にそれぞれ設けられた複数（３個）の第１の排気取入口２２と袖壁１５ａに設けられ第１の排気吐出口１７とは、複数の第１の排気取入口２２にそれぞれ接続された第２の排気ダクト５２によって接続されている。
【００３９】
第２の排気ダクト５２はサニタリー６の天井裏から屋内廊下２の天井裏を経由して第２の居室１１の天井裏に配管されており、この第２の排気ダクト５２には複数の第１の排気取入口２２から第１の排気吐出口１７へサニタリー排気Ｂを送る第２の排気ファン５３が介装されている。第２の排気ファン５３は洗面所４の天井裏に設置されており、第２の排気ファン５３には３箇所の取込口と１箇所の吐出口が設けられている。サニタリー排気Ｂを複数の第１の排気取入口２２から流入したサニタリー排気Ｂは、第２の排気ファン５３で合流され、第１の排気吐出口１７から流出される。
【００４０】
次に、上記した構成からなる換気装置２４および換気システムを使用した換気方法について説明する。
【００４１】
まず、住戸１内に外気Ａを取り入れる方法について説明する。図１、図２（ａ）、図３（ａ）に示すように、換気装置２４内に内蔵された第１の給気ファン４３を稼動させ、第１の外気取入口１６から第１の給気ダクト２５内に外気Ａを流入させる。第１の給気ダクト２５内に流入した外気Ａは第１のダクト接続部４１からボックス３７内に流入し、第１の給気ファン４３の送風作用によりエアフィルタ４４を通過し、イオン発生装置５４が配置されたボックス３７内に至る。エアフィルタ４４により外気Ａ中に含まれる塵等を除去し、イオン発生部５５から所定の電圧で高圧放電することで外気Ａ中にプラスイオンとマイナスイオンとを発生させる。イオン発生装置５４が配置されたボックス３７内の外気Ａは、第２のダクト接続部４２から第２の給気ダクト２６へ流入し、枝分れしている第２の給気ダクト２６の先端にそれぞれ接続された第１の外気吐出口２０から第１、第２、第３、第４の居室１０、１１、１２、１３にそれぞれ流入する。
【００４２】
また、第１の排気ファン３３の運転と連動して、台所７天井裏に配置された第２の給気ファン５１を稼動させ、第２の外気取入口１９から第３の給気ダクト５０内に外気Ａを流入させる。第３の給気ダクト５０内に流入した外気Ａは、第２の給気ファン５１の送風作用により第３の給気ダクト５０内を流通し、台所７天井に設けられた第２の外気吐出口２１から台所７内に流入する。
【００４３】
次に、住戸１内の空気Ｄを屋外に排出する方法について説明する。洗面所４の天井裏に設置された第２の排気ファン５３を稼動させ、トイレ３、洗面所４および風呂場５内のサニタリー排気Ｂをトイレ３、洗面所４および風呂場５の各々の天井裏に設けられた各々の第１の排気取入口２２から第２の排気ダクト５２内に流入させる。このとき、第１、第２、第３、第４の居室１０、１１、１２、１３内および台所７内の空気Ｄは、それぞれの出入り口等から屋内廊下２に流れ、屋内廊下２からトイレ３、洗面所４および風呂場５内へそれぞれ流れ込む。第２の排気ダクト５２内に流入したサニタリー排気Ｂは、第２の排気ファン５３の送風作用により第２の排気ダクト５２内を流通し、袖壁１５ａに設けられた第１の排気吐出口１７から屋外に流れ出る。
【００４４】
また、換気装置２４内に設けられている第１の排気ファン３３を稼動させて、台所７内に設置されたキッチン台２３から発生する台所排気Ｃを換気装置２４下方に取り付けられたレンジフード３２内に集める。レンジフード３２内に集められた台所排気Ｃは、レンジフード３２内に設けられたグリスフィルタ３５を通過し、換気装置２４下面の第２の排気取入口２７からカバー部２９内に流入する。台所排気Ｃがグリスフィルタ３５を通過する際に、グリスフィルタ３５によって台所排気Ｃ内に含まれる塵や油成分を除去する。
【００４５】
カバー部２９内に流入した台所排気Ｃは、第１の排気ファン３３の吸気作用によって第１の排気ファン３３を通過して第１の排気ファン３３の側方に設けられた連結ダクト３４内に流入し、連結ダクト３４上端部に形成された排気ダクト接続部５６から第１の居室１０の天井裏に配管された第１の排気ダクト２８内に流入する。第１の排気ダクト２８内に流入した台所排気Ｃは、第１の排気ファン３３の送風作用によって第１の排気ダクト２８内を流通し、袖壁１５ａに設けられた第２の排気吐出口１８から屋外に流れ出る。
【００４６】
上記した構成からなる換気装置２４および換気システムによれば、キッチン台２３上方に設置された換気装置２４内には外気Ａを居室内に送り込む給気ユニット３８が内蔵されているため、屋内廊下２の天井裏などには給気ユニット３８が設置されず、給気ユニット３８の廻りにはメンテナンスする際に必要な作業スペースが確保され、給気ユニット３８はメンテナンスし易い位置に設置される。これによって、天井裏の作業には不慣れなエンドユーザーでも容易にメンテナンスすることができる。
【００４７】
また、換気装置２４のカバー部２９には第１の点検口３９が形成されているため、カバー部２９を取り外すことなくカバー部２９内に配置され給気ユニット３８を内蔵するボックス３７をそのままボックス３７ごと取り出すことができる。また、カバー部２９内に配置されたボックス３７には第１の点検口３９に対向する位置に第２の点検口４７および第３の点検口４８がそれぞれ形成されている。このため、第１の点検口３９の蓋４０を開けて第２の点検口４７の蓋４９ａを開けることでボックス３７内のエアフィルタ４４の取替を行うことができ、また第１の点検口３９の蓋４０を開けて第３の点検口４８の蓋４９ｂを開けることでイオン発生部５５の清掃をすることができる。
【００４８】
また、エアフィルタ４４を通過する際に外気Ａ中の塵などはエアフィルタ４４に付着して、塵などが取り除かれた外気Ａのみが第１、第２、第３、第４の居室１０、１１、１２、１３内に送り込まれるため、第１、第２、第３、第４の居室１０、１１、１２、１３内への塵等の流入を阻止することができる。また、エアフィルタ４４は取り外し可能であるため、多量の塵などが付着したエアフィルタ４４は取り外され、新たなエアフィルタ４４が取り付けることができる。また、ボックス３７内を流通する外気Ａはイオン発生装置５４により除菌および脱臭され、さらにイオン発生装置５４により発生したプラスイオンおよびマイナスイオンは外気Ａによって第１、第２、第３、第４の居室１０、１１、１２、１３内に送り込まれる。これによって、第１、第２、第３、第４の居室１０、１１、１２、１３内の除菌と脱臭が行われ、集合住宅における台所７臭やペット臭にも対応することができる。
【００４９】
また、台所７には第２の給気ファン５１により第２の外気吐出口２１から外気Ａが送り込まれるとともに、換気装置２４に内蔵された第１の排気ファン３３により第２の排気取入口２７から台所排気Ｃが屋外に排出される。これにより、台所７内では排気と給気のエアバランスの保たれた第１種換気方式による換気を行うことができる。また、第１、第２、第３、第４の居室１０、１１、１２、１３内には第１の給気ファン４３により第１の外気吐出口２０から外気Ａが送り込まれるとともに、洗面所４の天井裏に配置された第２の排気ファン５３によりサニタリー６内のサニタリー排気Ｂが第１の排気吐出口１７から屋外に排出される。第１、第２、第３、第４の居室１０、１１、１２、１３内の空気Ｄは屋内廊下２を経由してサニタリー６の天井にそれぞれ設けられた第１の排気取入口２２に吸い込まれる。これにより、第１、第２、第３、第４の居室１０、１１、１２、１３内では排気と給気のエアバランスの保たれた第１種換気方式による換気を行うことができる。
【００５０】
［第２の実施の形態］
次に、第２の実施の形態について説明する。図４は第２の実施の形態を表す斜視図である。図４に示すように、住戸１００内には、前述した第１の実施の形態の場合と同様に、屋内廊下１０１と、トイレ１０２、洗面所１０３および風呂場１０４からなるサニタリー１０５と、台所１０６と、第１、第２、第３、第４の居室１０７、１０８、１０９、１１０とがそれぞれ形成されている。
【００５１】
図４に示すように、バルコニー１１１に面している第２の居室１０８の一方の袖壁１１２ａには台所排気Ｃが流出する第２の排気吐出口１１３が設けられ、他方の袖壁１１２ｂには外気Ａが流入する第１の外気取入口１１４が設けられている。また、第１、第２、第３、第４の居室１０７、１０８、１０９、１１０の天井には外気Ａが流出する第１の外気吐出口１１５がそれぞれ設けられ、台所１０６の天井には外気Ａが流出する第３の外気吐出口１１６が設けられている。また、台所１０６内に配置されたキッチン台１１７の上方には換気装置１１８が設けられており、換気装置１１８には前述した第１の実施の形態のものと同様の図示せぬ第１の排気ファンおよび図５に示す給気ユニット１１９がそれぞれ備えられている。図５に示すように、給気ユニット１１９は、第１の給気ファン１２０、エアフィルタ１２１、イオン発生装置１２２、第１のダクト接続部１２３および第２のダクト接続部１２４がそれぞれボックス１２５内に内蔵されて構成されている。
【００５２】
図４、図５に示すように、袖壁１１２ｂに設けられた第１の外気取入口１１４と換気装置１１８内に内蔵された第１のダクト接続部１２３とは、第２の居室１０８の天井裏から第１の居室１０７の天井裏を経由して台所１０６の天井裏に配管された第１の給気ダクト１２６によって接続されている。第１の給気ダクト１２６には第１の居室１０７の天井裏に設置された第３の給気ファン１２７が介装されており、第３の給気ファン１２７と第１のダクト接続部１２３との間に位置する第１の給気ダクト１３２の中間部にはダクト分岐部１２８が形成されている。第３の給気ファン１２７は換気装置１１８内に内蔵された図示せぬ第１の排気ファンに連動して運転される。ダクト分岐部１２８と台所１０６天井に設けられた第３の外気吐出口１１６とは、屋内廊下１０１の天井裏から台所１０６の天井裏に配管されている第４の給気ダクト１２９によって接続されている。この第４の給気ダクト１２９には外気Ａの流量を調節するダンパ１３０が介装されており、ダンパ１３０には図示せぬ電動開閉式のシャッターが備えられている。ダンパ１３０の図示せぬシャッターは上記した換気装置１１８内に内蔵された図示せぬ第１の排気ファンと第３の給気ファン１２７とに連動して開閉される。
【００５３】
また、換気装置１１８内に内蔵された第２のダクト接続部１２４と第１、第２、第３、第４の居室１０７、１０８、１０９、１１０内にそれぞれ設けられた第１の外気吐出口１１５とは、台所１０６の天井裏から屋内廊下１０１の天井裏を経由して第１、第２、第３、第４の居室１０７、１０８、１０９、１１０の天井裏に配管された第２の給気ダクト１３１によってそれぞれ接続されている。第１の給気ダクト１２６、１３２内および第２の給気ダクト１３１内には外気Ａが流通されており、第１の給気ダクト１３２と第２の給気ダクト１３１とは給気ユニット１１９を介して接続されている。また、袖壁１１２ａに設けられた第２の排気吐出口１１３と図示せぬ第１の排気ファンが内蔵された換気装置１１８とは、台所１０６の天井裏から第１の居室１０７の天井裏を経由して第２の居室１０８の天井裏に配管された第１の排気ダクト１３３によって接続されている。
【００５４】
次に、上記した構成からなる換気装置１１８および換気システムを使用した換気方法について説明する。
【００５５】
まず、換気装置１１８内に内蔵された図示せぬ第１の排気ファンを稼動させることで、第１の給気ダクト１２６に介装された第３の給気ファン１２７は連動して稼動し、また第４の給気ダクト１２９に介装されたダンパ１３０の図示せぬシャッターは連動して開く。第３の給気ファン１２７を稼動することにより、袖壁１１２に設けられた第１の外気取入口１１４から外気Ａが第１の給気ダクト１２６内に流入する。第１の給気ダクト１２６内に流入した外気Ａは、第３の給気ファン１２７を経由してダクト分岐部１２８に至り、ダクト分岐部１２８から換気装置１１８に接続された第１の給気ダクト１３２方向と第３の外気吐出口１１６に接続された第４の給気ダクト１２９方向に分岐する。
【００５６】
第１の給気ダクト１３２方向に流れた外気Ａは、換気装置１１８内の給気ユニット１１９を介して第２の給気ダクト１３１に流入し、第２の給気ダクト１３１内を流通する。そして、第２の給気ダクト１３１内の外気Ａは第１、第２、第３、第４の居室１０７、１０８、１０９、１１０内にそれぞれ設けられた第１の外気吐出口１１５に至り、第１の外気吐出口１１５から第１、第２、第３、第４の居室１０７、１０８、１０９、１１０内にそれぞれ流入する。一方、第４の給気ダクト１２９方向に流れた外気Ａは、第４の給気ダクト１２９に介装されたダンパ１３０を経由して台所１０６天井に設けられた第３の外気吐出口１１６に至り、第３の外気吐出口１１６から台所１０６内に流入する。また、図示せぬ第１の排気ファンの運転により、台所１０６内の台所排気Ｃは換気装置１１８から第１の排気ダクト１３３に流入し、袖壁１１２ａに設けられた第２の排気吐出口１１３から屋外に流れ出る。
【００５７】
また、換気装置１１８内に内蔵された図示せぬ第１の排気ファンの運転を停止させることで、第１の給気ダクト１２６に介装された第３の給気ファン１２７は連動して停止し、また第４の給気ダクト１２９に介装されたダンパ１３０の図示せぬシャッターは連動して閉じる。このとき、換気装置１１８内に内蔵された第１の給気ファン１２０を稼動させ、袖壁１１２に設けられた第１の外気取入口１１４から外気Ａを第１の給気ダクト１２６内に流入させる。第１の給気ダクト１２６内に流入した外気Ａは、運転を停止している第３の給気ファン１２７の内部を通過して換気装置１１８内に至り、換気装置１１８から第２の給気ダクト１３１に流入し、第２の給気ダクト１３１内を流通する。そして、第２の給気ダクト１３１内の外気Ａは第１、第２、第３、第４の居室１０７、１０８、１０９、１１０内にそれぞれ設けられた第１の外気吐出口１１５に至り、第１の外気吐出口１１５から第１、第２、第３、第４の居室１０７、１０８、１０９、１１０内にそれぞれ流入する。
【００５８】
上記した構成からなる換気装置１１８および換気システムによれば、屋外から住戸１００内ヘ外気Ａを取り入れる引込ダクトとしては第１の給気ダクト１２６のみが配管され、屋外の外気Ａを居室内に送る第１の給気ダクト１２６を利用して台所１０６内に外気Ａが送り込まれる。これによって、外気Ａを取り入れる引込ダクトの本数は少なくなり、配管作業の手間は軽減することができる。
【００５９】
以上、本発明に係る換気装置および換気システムの第１、第２の実施の形態について説明したが、本発明は上記した第１、第２の実施の形態に限定されるものではなく、その趣旨を逸脱しない範囲で適宜変更可能である。例えば、上記した第１、第２の実施の形態では省略されているが、換気システムに第１の給気ファン４３、１２０、第２の給気ファン５１および第３の給気ファン１２７の給気量を制御する給気制御手段を設けるとともに、第１の排気ファン３３（第２の実施の形態では、換気装置１１８内の図示せぬ第１の排気ファン）および第２の排気ファン５３の排気量を制御する排気制御手段を設けてもよい。例えば、トイレ３、１０２、洗面所４、１０３、風呂場５、１０４などのサニタリー６、１０５の使用時で、居室などにおける常時小風量換気に比べて必要排気量の最大値が大きい時には、第２の排気ファン５３をその必要排気量で運転し、第１の給気ファン４３、１２０はその排気量に見合う給気量で運転する。また、サニタリー６、１０５を使用しない時では、居室などにおける常時小風量換気の必要給気量で第１の給気ファン４３、１２０を運転し、第２の排気ファン５３はその給気量に見合う排気量まで低下させて運転する。このように、必要な時々に応じて給気量と排気量とを変化させることで、住戸１、１００内の換気のバランスを保つことができる。
【００６０】
また、上記した第２の実施の形態では第４の給気ダクト１２９は第１の給気ダクト１３２に設けられたダクト分岐部１２８に接続されているが、ダクト分岐部１２８を第２の給気ダクト１３１に設けて第４の給気ダクト１２９を第２の給気ダクト１３１に接続させてもよい。これによって、エアフィルタ１２１によって塵などが取り除かれるとともにイオン発生装置１２２によって除菌、脱臭された外気Ａを台所１０６に供給するとともに、イオン発生装置１２２によって発生したイオンを外気Ａにより台所１０６内に供給し、台所１０６内の除菌および脱臭を行うことができる。また、上記した第２の実施の形態ではダンパ１３０を台所１０６の天井裏に設けて第３の外気吐出口１１６を天井に設けているが、ダンパ１３０を台所１０６の天井に露出させ、ダンパ１３０と第３の外気吐出口１１６とを兼用させてもよい。これによって、天井裏のスペースが狭い場合にも対応することができる。
【００６１】
また、上記した第１実施の形態では台所排気Ｃは換気装置２４の排気ダクト接続部５６から第１の排気ダクト２８内を流通して第２の排気吐出口１８から屋外に流れ出るが、台所７が外壁に面している場合には換気装置２４を外壁に埋め込み、排気ダクト接続部５６に換えて換気装置２４に形成された排気口から台所排気Ｃを屋外に排出してもよい。
【００６２】
【発明の効果】
以上説明した換気装置および換気システムによれば、台所から発生する排気を住居外に排出するとともに住戸外の外気は常時居室内に送り込む換気装置は台所に設置されるため、各居室に外気を送り込むことができるとともに、換気装置の廻りにはメンテナンスする際に必要な作業スペースが十分確保される。これによって、メンテナンスし易い位置に設置された換気装置の維持、管理は容易に行うことができる。
【図面の簡単な説明】
【図１】本発明に係る換気装置および換気システムの第１の実施の形態を説明する斜視図である。
【図２】（ａ）は本発明に係る換気装置の第１の実施の形態を説明する正面図であり、（ｂ）本発明の第１の実施の形態を説明する側面図であり、（ｃ）本発明の第１の実施の形態を説明する上視図である。
【図３】（ａ）は本発明に係る換気装置の第１の実施の形態を説明する部分上視図であり、（ｂ）本発明の第１の実施の形態を説明する部分正面図である。
【図４】本発明に係る換気装置および換気システムの第２の実施の形態を説明する斜視図である。
【図５】本発明に係る換気装置の第２の実施の形態を説明する部分上視図である。
【符号の説明】
１、１００  住戸
６、１０５  サニタリー
７、１０６  台所
１０、１０７  第１の居室（居室）
１１、１０８  第２の居室（居室）
１２、１０９  第３の居室（居室）
１３、１１０  第４の居室（居室）
１４  外壁
１６、１１４  第１の外気取入口
１７  第１の排気吐出口（排気吐出口）
１９  第２の外気取入口
２０、１１５  第１の外気吐出口
２１  第２の外気吐出口
２２  第１の排気取入口（排気取入口）
２４、１１８  換気装置
２５、１２６、１３２  第１の給気ダクト
２６、１３１  第２の給気ダクト
２９  カバー部
３３  第１の排気ファン
３９  第１の点検口（点検口）
４１、１２３  第１のダクト接続部
４２、１２４  第２のダクト接続部
４３、１２０  第１の給気ファン
４４、１２１  エアフィルタ（フィルタ）
４７  第２の点検口（点検口）
４８  第３の点検口（点検口）
５０  第３の給気ダクト
５１  第２の給気ファン
５２  第２の排気ダクト（排気ダクト）
５３  第２の排気ファン
５４  イオン発生装置
５５  イオン発生部
５６  排気ダクト接続部（排気口）
１１６  第３の外気吐出口
１２２  イオン発生装置
１２８  ダクト分岐部
１２９  第４の給気ダクト
１３０  ダンパ
Ａ  外気
Ｂ  サニタリー排気（排気）
Ｃ  台所排気（排気）
【図１】
2004308996.tif 000003
【図２】
2004308996.tif 000004
【図３】
2004308996.tif 000005
【図４】
2004308996.tif 000006
【図５】
2004308996.tif 000007